(57)【特許請求の範囲】
【請求項１】
伝送される多重ストリームを複数の個別ストリームに分離し、該分離された複数の個別ストリーム中の第１の個別ストリームに基づいて映像音声信号を出力装置に出力する端末装置であって、
前記第１の個別ストリームを構成する部分ストリームに対応する第２の個別ストリームに関連付けられたユーザに関する制御情報に基づいて前記第２の個別ストリームが記憶装置に記憶されている場合に、前記部分ストリームに関連付けられたストリームの処理に関する制御情報に基づいて前記第２の個別ストリームを前記出力装置に出力する
ことを特徴とする端末装置。
【請求項２】
伝送される多重ストリームを複数の個別ストリームに分離し、該分離された複数の個別ストリーム中の第１の個別ストリームに基づいて映像音声信号を出力装置に出力する端末装置であって、
前記第１の個別ストリームを構成する部分ストリームに対応する第２の個別ストリームを、前記第２の個別ストリームに関連付けられたユーザに関する制御情報に基づいて記憶装置に記憶させるために出力する
ことを特徴とする端末装置。
【請求項３】
前記端末装置は、
前記部分ストリームを、該部分ストリームよりも先に伝送され前記記憶装置に記憶されている前記第２の個別ストリームで差し替える
ことを特徴とする請求項２記載の端末装置。
【請求項４】
伝送される多重ストリームに基づく映像音声信号を出力する出力手段と、
前記多重ストリームを複数の個別ストリームに分離する分離手段と、
前記分離された複数の個別ストリーム中の第１の個別ストリームを構成する部分ストリームに対応する第２の個別ストリームに関連付けられたユーザに関する制御情報に従って、該第２の個別ストリームを記憶する記憶手段と、
前記部分ストリームに関連付けられたストリームの処理に関する制御情報に基づいて前記記憶手段から第２の個別ストリームを抽出する抽出手段と、
該抽出された第２の個別ストリームを前記出力手段に出力するストリーム制御手段と
を備えたことを特徴とする端末装置。
【請求項５】
前記端末装置は、
ユーザによって指定されるユーザ個人に関する端末情報を記憶する端末情報記憶手段
をさらに備え、
前記抽出手段は、
前記ユーザに関する制御情報と前記ユーザによって指定されるユーザ個人に関する端末情報とに基づいて前記第２の個別ストリームを抽出する
ことを特徴とする請求項４記載の端末装置。
【請求項６】
伝送される多重ストリームを複数の個別ストリームに分離し、当該分離された複数の個別ストリーム中の第１の個別ストリームに基づいて映像音声信号を出力装置に出力するための制御を端末装置に実行させるためのプログラムを記録した記録媒体であって、
前記プログラムは、
前記多重ストリームを複数の個別ストリームに分離する手段と、
前記分離された複数の個別ストリーム中の第１の個別ストリームを構成する部分ストリームに対応する第２の個別ストリームに関連付けられたユーザに関する制御情報に従って、該第２の個別ストリームを記憶手段に記憶させる手段と、
前記部分ストリームに関連付けられてたストリームの処理に関する制御情報に基づいて前記記憶手段から第２の個別ストリームを抽出する手段と、
該抽出された第２のストリームを前記出力手段に出力する手段と
を備えたことを特徴とするプログラムを記録した記録媒体。
【請求項７】
番組放送のためのコンテンツに基づく複数のストリームからなる多重ストリームを視聴者の端末装置に伝送するデジタル放送システムにおいて、
前記多重ストリームを複数の個別ストリームに分離し、当該分離された複数の個別ストリーム中の第１の個別ストリームを構成する部分ストリームごとにストリームの処理に関する制御情報を関連付ける第１の制御情報付与手段と、
前記第１の個別ストリームを構成する部分ストリームに対応する第２の個別ストリームごとにユーザに関する制御情報を関連付ける第２の制御情報付与手段と、
前記ストリームの処理に関する制御情報が関連付けられた第１の個別ストリームおよび前記ユーザに関する制御情報が対応付けられた第２の個別ストリームに基づいて多重ストリームを生成する多重ストリーム生成手段と
を備え、
前記多重ストリーム生成手段は、
前記第２の個別ストリームが前記部分ストリームよりも先に伝送されるように多重ストリームを生成する
ことを特徴とするデジタル放送システム。
【請求項８】
伝送される多重ストリームを複数の個別ストリームに分離し、該分離された複数の個別ストリーム中の第１の個別ストリームに基づいて映像音声信号を出力装置に出力するデジタルストリームの制御方法であって、
前記第１の個別ストリームを構成する部分ストリームに対応する第２の個別ストリームに関連付けられたユーザに関する制御情報に基づいて前記第２の個別ストリームが記憶装置に記憶されている場合に、前記部分ストリームに関連付けられたストリームの処理に関する制御情報に基づいて前記第２の個別ストリームを前記出力装置に出力する
ことを特徴とするデジタルストリームの制御方法。
【請求項９】
伝送される多重ストリームを複数の個別ストリームに分離し、該分離された複数の個別ストリーム中の第１の個別ストリームを構成する部分ストリームに対応付けられたストリームの処理に関する制御情報および前記部分ストリームに対応する第２の個別ストリームに関連付けられたユーザに関する制御情報に基づいて新たな個別ストリームを構成するストリーム制御手段と、
前記ストリーム制御手段によって構成された新たな個別ストリームを出力装置に出力する出力制御手段と
を備えたことを特徴とする端末装置。
【請求項１０】
前記ストリーム制御手段は、
前記ストリームの処理に関する制御情報に基づいて記憶装置から前記第２の個別ストリームを抽出する抽出手段
を備えたことを特徴とする請求項９記載の端末装置。
【請求項１１】
前記ストリーム制御手段は、
前記部分ストリームを前記抽出された第２の個別ストリームによって変更することにより、新たな個別ストリームを構成する構成手段
を備えたことを特徴とする請求項１０記載の端末装置。
【請求項１２】
伝送される多重ストリームを複数の個別ストリームに分離する分離器と、
前記分離器によって分離された複数の個別ストリーム中の第１の個別ストリームを出力装置に出力し、前記複数の個別ストリーム中の前記第１の個別ストリームを構成する部分ストリームに対応する第２の個別ストリームに関連付けられたユーザに関する制御情報に基づいて前記第２の個別ストリームを記憶装置に出力するストリーム制御手段と
を備えたことを特徴とする端末装置。
【請求項１３】
前記ストリーム制御手段は、
前記部分ストリームに関連付けられたストリームの処理に関する制御情報に基づいて前記部分ストリームを、前記部分ストリームよりも時間的に先行して伝送され前記記憶装置に記憶されている前記第２の個別ストリームによって変更し、新たな個別ストリームとして構成する
ことを特徴とする請求項１２記載の端末装置。
【請求項１４】
伝送される多重ストリームを受信する受信装置と、
前記受信装置によって受信された多重ストリームを複数の個別ストリームに分離する分離器と、
前記分離された複数の個別ストリーム中の第１の個別ストリームに基づいて映像および／または音声情報を出力する出力装置と、
前記第１の個別ストリームを構成する部分ストリームに対応する第２の個別ストリームを記憶する記憶装置と、
前記分離器によって分離された複数の個別ストリーム中の前記第２の個別ストリームに関連付けられたユーザに関する制御情報が所定の条件を満たす場合に、前記第２の個別ストリームを前記記憶装置に記憶させる第１の制御手段と、
前記分離器によって分離された複数の個別ストリーム中の第１の個別ストリームを構成する部分ストリームに関連付けられたストリームの処理に関する制御情報が所定の条件を満たす場合に、前記記憶装置から前記第２の個別ストリームを抽出する第２の制御手段と、
前記部分ストリームを、前記第２の制御手段により抽出された前記第２の個別ストリームによって変更し、新たな個別ストリームとして構成する構成手段と
を備えたことを特徴とする端末装置。
【請求項１５】
ユーザによって指定されるユーザ個人に関する端末情報を記憶する端末情報記憶装置
をさらに備え、
前記第１の制御手段は、
前記ユーザに関する制御情報と前記ユーザによって指定されるユーザ個人に関する端末情報とを比較し、この比較結果に従って前記第２の個別ストリームを前記記憶装置に記憶させる
ことを特徴とする請求項１４記載の端末装置。
【請求項１６】
前記第２の制御手段は、
前記ユーザに関する制御情報と前記ユーザによって指定されるユーザ個人に関する端末情報とを比較し、この比較結果に従って前記第２の個別ストリームを抽出する
ことを特徴とする請求項１５記載の端末装置。
【請求項１７】
前記ストリームの処理に関する制御情報は、
少なくとも、前記第１の個別ストリームを構成する部分ストリームを識別するための第１の識別情報および前記部分ストリームに対する処理を指定する処理指定情報
を有し、
前記ユーザに関する制御情報は、
少なくとも、前記第１の個別ストリームを構成する部分ストリームに対応する第２の個別ストリームに対応付けられた第２の識別情報
を有し、
前記第２の制御手段は、
前記処理指定情報が変更処理を指定する場合に、前記第１の識別情報に対応付けられた前記第２の識別情報に対応付けられた前記第２の個別ストリームを抽出する
ことを特徴とする請求項１４ないし１６に記載の端末装置。
【請求項１８】
前記処理指定情報は、
少なくとも変更処理または重ね合わせ処理のいずれか一方を指定する情報であり、
前記構成手段は、
前記処理指定情報が変更処理を指定する場合に、前記部分ストリームを前記第２のストリームに差し替えて、新たな個別ストリームとして構成し、前記処理指定情報が重ね合わせ処理を指定する場合に、前記部分ストリームと前記第２のストリームとを重ね合わせて、新たな個別ストリームとして構成する
ことを特徴とする請求項１７記載の端末装置。
【請求項１９】
端末装置を制御するプログラムを記録した記録媒体であって、
前記プログラムは、
伝送される多重ストリームを複数の個別ストリームに分離する分離手段と、
前記分離手段によって分離された複数の個別ストリーム中の第１の個別ストリームを構成する部分ストリームに対応する第２の個別ストリームに関連付けられたユーザに関する制御情報が所定の条件を満たす場合に、前記第２の個別ストリームを前記記憶装置に記憶させる第１の制御手段と、
前記分離手段によって分離された複数の個別ストリーム中の前記第１の個別ストリームを構成する部分ストリームに関連付けられたストリームの処理に関する制御情報が所定の条件を満たす場合に、前記記憶装置から前記第２の個別ストリームを抽出する第２の制御手段と、
前記部分ストリームを、前記第２の制御手段により抽出された第２の個別ストリームによって変更し、新たな個別ストリームとして構成する構成手段と
を備えたことを特徴とするプログラムを記録した記録媒体。
【請求項２０】
複数の個別ストリーム中の第１の個別ストリームを構成する部分ストリームごとに、ストリームの処理に関する制御情報を関連付ける第１の制御情報付与手段と、
前記部分ストリームに対応する第２の個別ストリームごとに、ユーザに関する制御情報を関連付ける第２の制御情報付与手段と、
前記ストリームの処理に関する制御情報が関連付けられた部分ストリームによって構成される第１の個別ストリームおよび前記ユーザに関する制御情報が関連付けられた第２の個別ストリームに基づいて多重ストリームを生成するストリーム生成手段と
を備えたことを特徴とする放送装置。
【請求項２１】
前記ストリーム生成手段は、
前記部分ストリームに対応する前記第２の個別ストリームが前記部分ストリームよりも時間的に先行して伝送されるように前記多重ストリームを生成する
ことを特徴とする請求項２０記載の放送装置。
【請求項２２】
前記ストリーム生成手段によって生成された多重ストリームを特定の伝送媒体に送信する送信装置
をさらに備えたことを特徴とする請求項２０または２１に記載の放送装置。
【請求項２３】
伝送される多重ストリームを複数の個別ストリームに分離し、該分離された複数の個別ストリーム中の第１の個別ストリームを構成する部分ストリームに関連付けられたストリームの処理に関する制御情報および前記部分ストリームに対応する第２の個別ストリームに関連付けられたユーザに関する制御情報に基づいてストリーム制御手段が新たな個別ストリームを構成する制御ステップと、
前記制御ステップによって構成された新たな個別ストリームを出力制御手段が出力装置に出力する出力制御ステップと
を備えたことを特徴とするデジタルストリームの制御方法。
【請求項２４】
前記制御ステップは、
前記ストリームの処理に関する制御情報に基づいて記憶装置から前記第２の個別ストリームを抽出するステップを含む
ことを特徴とする請求項２３記載のデジタルストリームの制御方法。
【請求項２５】
前記制御ステップは、
前記部分ストリームを前記抽出された第２の個別ストリームによって変更することにより、新たな個別ストリームを構成するステップを含む
ことを特徴とする請求項２４記載のデジタルストリームの制御方法。
【発明の詳細な説明】
【０００１】
【発明の属する技術分野】
本発明は、デジタル放送システムの技術に関するもので、特に、デジタル放送ストリームを受信する端末装置およびデジタル放送ストリームの制御方法並びにこのようなデジタル放送ストリームを送出する放送装置に関する。
【従来技術】
従来の放送サービスでは、放送局側が予め構成した放送番組（コンテンツ）を、視聴者がその受信機で適宜選択することにより視聴していた。従って、視聴者は、放送局ごとの放送番組を選択することはできても、その放送番組自体を構成する内容については選択することはできなかった。
【０００２】
また、放送番組はそれ全体で１つのストリームであるが、放送番組の中には部分的に同一内容の情報（例えば、ＣＭ等）が含まれている場合がある。このことは、部分的に見れば同一内容の情報を繰り返し放送していたことになる。
【０００３】
さらに、従来の地上波を前提とした放送サービスは、地上局から出力される放送電波の到達範囲を限界として複数の地域ごとに分割されている。従って、キー局から全国的に放送されるいわゆる全国ネット番組は、一般に、当該番組を全国向け放送部分とＣＭ等の特定地域向け放送部分とから構成されている。すなわち、ある放送番組において、キー局からメインの番組内容を放送しつつ、例えば、ＣＭ等を放送する場合には、Ｑ信号と呼ばれるＣＭ差込用の制御信号を送信し、これを受信したローカル局では所定タイミングでキー局用のＣＭに代えて当該特定地域向けに予め用意したＣＭを放送している。従って、このような差し替えにより特定地域ごとの放送サービスを実現することができるが、そのサービス範囲はあくまで放送局を単位とした地域であり、さらに個別化されたサービスを提供することはできなかった。
【０００４】
一方、近年では、放送衛星を用いた衛星放送サービスが本格化している。衛星放送サービスでは、従来の地上局がそれぞれカバーしていた地域を複数にまたがって放送することが可能となる。しかしながら、このような衛星放送では、同一電波により広域の放送サービスを行うことができる反面、放送内容によっては特定の地域の視聴者にとって必要性が全くないかまたはきわめて低い場合があり、むしろサービスの個別化の観点からは望ましいものとはいえなかった。
【発明が解決しようとする課題】
上記従来の放送サービスでは、視聴者は放送局側が予め構成した放送番組を受動的に受信して視聴していたのみであったため、個々の視聴者の嗜好等に応じた放送サービスの個別化に対して限界があった。
【０００５】
例えば、全国ネット番組であってもＣＭ等の内容については、特定地域向けのＣＭ等に差し替えて放送することが行われている。しかしながら、このようなサービスの個別化は、ローカル局がカバーする地域を単位としており、よりきめの細かいサービスを図るには限界があった。
【０００６】
また、放送番組はそれ全体で１つのストリームであるが、放送番組の中には部分的に同一内容の情報（例えば、ＣＭ等）が含まれている場合がある。このことは、部分的に見れば同一内容の情報を繰り返し放送していたことになる。つまり、番組の一部分を端末側において蓄積しておき、これを再利用するということは何ら考慮されていなかった。
【０００７】
一方、従来の衛星放送サービスでは、広範な地域をカバーする同一電波により放送サービスを行っていた。このため、放送内容によっては、特定の地域の視聴者にとって必要性が全くないかまたはきわめて低い場合があり、サービスの個別化について何ら考慮されていなかった。
【０００８】
そこで、本発明は、個別化されたデジタル放送サービスを提供することを目的とする。具体的には、本発明は、放送局が提供するある１つの放送番組が、視聴者の受信地域や嗜好等に従って視聴者ごとに異なる内容の放送番組として再構成され、提供される新しいデジタル放送サービスを提供することを目的とする。
【０００９】
また、本発明は、デジタル放送における伝送帯域の有効利用を図ることを目的とする。
【課題を解決するための手段】
本発明は、デジタル放送サービスの個別化を実現するために、放送局が提供する放送番組を、視聴者の端末装置において視聴者ごとに異なる内容の放送番組として再構成するというものである。例えば、放送局が提供するある放送番組は、その内容の一部が、視聴者の端末装置において、視聴者の受信地域や嗜好などに従って他の内容に差し替えられ、再構成される。なお、視聴者の受信地域や嗜好などは、視聴者によって予め端末装置に入力される。また、視聴者の受信地域を特定するために、郵便番号や電話番号等を利用することが好ましい。
【００１０】
より具体的には、本発明は、伝送される個別ストリームに基づいて映像音声信号を出力装置に出力する端末装置において、第２の個別ストリーム（例えば、蓄積ストリーム）が記憶装置に記憶されている場合に、第１の個別ストリーム（例えば、本編ストリーム）に対応付けられて伝送される制御情報に基づいて、前記第１の個別ストリームを構成する部分ストリームに代えて、前記第２の個別ストリームを前記出力装置に出力することを特徴とする端末装置である。
【００１１】
なお、映像音声信号とは、映像および音声信号の双方のみならず、映像または音声信号のいずれか一方をも意味する。また、特に区別して言及しない限り、文字等のテキストデータも広義の映像信号に含まれる。
【００１２】
また、本発明は、伝送される多重ストリームを複数の個別ストリームに分離し、該分離された複数の個別ストリーム中の第１の個別ストリームに基づいて映像音声信号を出力装置に出力する端末装置であって、分離された第２の個別ストリームを所定の条件に従って記憶装置に記憶させるために出力することを特徴とする端末装置である。
【００１３】
ここで、前記端末装置は、前記第１の個別ストリームを構成する部分ストリームを、該部分ストリームよりも先に伝送され前記記憶装置に記憶されている第２の個別ストリームで差し替えるようにしてもよい。
【００１４】
さらに、本発明は、ストリームに基づく映像音声信号を出力する出力手段と、伝送される多重ストリームを複数の個別ストリームに分離する分離手段と、前記分離された複数の個別ストリーム中の第２の個別ストリームに関連付けられた第２の制御情報に従って、該第２の個別ストリームを記憶する記憶手段と、前記分離された複数の個別ストリーム中の第１の個別ストリームに関連付けられた第１の制御情報に基づいて、前記記憶手段から第２の個別ストリームを抽出する抽出手段と、前記第１の個別ストリームを構成する部分ストリームを前記抽出された第２のストリームで差し替えるために、該抽出された第２のストリームを前記出力手段に出力するストリーム制御手段とを備えたことを特徴とする端末装置である。
【００１５】
ここで、前記端末装置は、ユーザによって指定される端末情報を記憶する端末情報記憶手段をさらに備え、前記抽出手段は、前記第１の制御情報と前記端末情報とに基づいて前記第２の個別ストリームを抽出するようにしてもよい。また、前記端末情報は、視聴者によって入力手段から入力されてもよいし、ストリームとして伝送されたり、記録媒体として提供され、これを読み込むようにようにしてもよい。
【００１６】
また、本発明は、コンピュータに所定の機能を有するプログラムを実行させることにより実現することもできる。すなわち、本発明は、ストリームに基づく映像音声信号を出力するための制御を行うプログラムを記録した記録媒体であって、前記プログラムは、伝送される多重ストリームを複数の個別ストリームに分離する手段と、前記分離された複数の個別ストリーム中の第２の個別ストリームに対応付けられた第２の制御情報に従って、該第２の個別ストリームを記憶手段に記憶させる手段と、前記分離された複数の個別ストリーム中の第１の個別ストリームに対応付けられた第１の制御情報に基づいて、前記記憶手段から第２の個別ストリームを抽出する手段と、前記第１の個別ストリームを構成する部分ストリームを前記抽出された第２のストリームで差し替えるために、該抽出された第２のストリームを前記出力手段に出力するストリーム制御手段とを備えたことを特徴とするプログラムを記録した記録媒体であってもよい。
【００１７】
ここで、前記記録媒体とは、例えば、ハードディスク（ＨＤ）、ＤＶＤ−ＲＡＭ、フレキシブルディスク（ＦＤ）やＣＤ−ＲＯＭ等のほかに、ＲＡＭやＲＯＭ等のメモリを含む。また、前記コンピュータとは、例えば、ＣＰＵやＭＰＵといったいわゆる中央処理装置がプログラムを解釈することで所定の処理を行う、いわゆるマイクロコンピュータ等をも含む。
【００１８】
また、本発明は、番組放送のためのコンテンツに基づく複数のストリームからなる多重ストリームを視聴者の端末装置に伝送するデジタル放送システムにおいて、第１の個別ストリームを構成する部分ストリームごとに第１の制御情報を関連付ける第１の制御情報付与手段と、第２の個別ストリームごとに第２の制御情報を関連付ける第２の制御情報付与手段と、前記第１の制御情報が関連付けられた第１の個別ストリームおよび前記第２の制御情報が対応付けられた第２の個別ストリームに基づいて多重ストリームを生成する多重ストリーム生成手段とを備え、前記多重ストリーム生成手段は、前記第２の個別ストリームが前記部分ストリームよりも先に伝送されるように多重ストリームを生成することを特徴とするデジタル放送システムである。
【００１９】
ここで、前記第２の制御情報は、前記部分ストリームと前記第２の個別ストリームとを対応付けるための情報を含む。
【００２０】
なお、物の発明は方法の発明として把握することができ、方法の発明は物の発明として把握することができる。
【００２１】
すなわち、本発明は、伝送される個別ストリームに基づいて映像音声信号を出力装置に出力するデジタルストリームの制御方法において、第２の個別ストリームが記憶装置に記憶されている場合に、第１の個別ストリームに対応付けられて伝送される制御情報に基づいて、前記第１の個別ストリームを構成する部分ストリームに代えて、前記第２の個別ストリームを前記出力装置に出力することを特徴とするデジタルストリームの制御方法である。
【００２２】
また、本発明は、伝送される多重ストリームを複数の個別ストリームに分離し、該分離された複数の個別ストリーム中の第１の個別ストリームに基づいて映像音声信号を出力装置に出力するデジタルストリームの制御方法であって、分離された第２の個別ストリームを所定の条件に従って記憶装置に記憶させるために出力することを特徴とするデジタルストリームの制御方法である。
【００２３】
ここで、前記デジタルストリームの制御方法は、前記第１の個別ストリームを構成する部分ストリームを、該部分ストリームよりも先に伝送され前記記憶装置に記憶されている第２の個別ストリームで差し替えるようにしてもよい。
【００２４】
さらに、本発明は、伝送される多重ストリームを複数の個別ストリームに分離し、前記分離された複数の個別ストリーム中の第２の個別ストリームに関連付けられた第２の制御情報に従って、該第２の個別ストリームを記憶し、前記分離された複数の個別ストリーム中の第１の個別ストリームに関連付けられた第１の制御情報に基づいて、前記記憶した第２の個別ストリームを抽出し、前記第１の個別ストリームを構成する部分ストリームを前記抽出された第２のストリームで差し替えるために、該抽出された第２のストリームを出力手段に出力することを特徴とするデジタルストリームの制御方法である。
【００２５】
ここで、前記デジタルストリームの制御方法は、前記第２の個別ストリームを抽出するに際し、前記第１の制御情報とユーザによって指定される端末情報とに基づいて前記第２の個別ストリームを抽出するようにしてもよい。
【００２６】
また、本発明は、番組放送のためのコンテンツに基づく複数のストリームからなる多重ストリームを視聴者の端末装置に伝送するデジタルストリームの制御方法において、第１の個別ストリームを構成する部分ストリームごとに第１の制御情報を関連付けるとともに、第２の個別ストリームごとに第２の制御情報を関連付け、前記第１の制御情報が関連付けられた第１の個別ストリームおよび前記第２の制御情報が対応付けられた第２の個別ストリームに基づいて、前記第２の個別ストリームが前記部分ストリームよりも先に伝送されるように多重ストリームを生成することを特徴とするデジタルストリームの制御方法である。
【発明の実施の形態】
次に、本発明の実施の形態について、図面を参照して説明する。
【００２７】
本実施形態は、主としてデジタル放送サービスを前提としている。すなわち、ビデオ（映像信号）やオーディオ（音声信号）を符号化したデジタルデータのビット列（ストリーム）が伝送媒体を介して視聴者に配信され、端末装置において復号化され、映像や音声として出力される。特に、本実施形態では、複数のストリームを多重化（例えば、時分割多重化）して１つのストリームとして伝送し、これを分離する技術を利用する。このような技術としては、例えば、ＭＰＥＧ２規格が知られている。従って、本実施形態では、ＭＰＥＧ２を例に説明する。
【００２８】
このＭＰＥＧ２では、デジタル放送サービスに対応するため、複数の番組（ストリーム；プログラム）を時分割多重化して伝送するトランスポート・ストリーム（ＭＰＥＧ２−ＴＳ；ＴＳ：Transport Stream）が規定されている。従って、ＭＰＥＧ２−ＴＳを利用したデジタル放送サービスでは、チャンネルが選局され、その選局されたチャンネルの中からさらにストリームが分離される。このようにＭＰＥＧ２は、複数の番組を１つのストリームとして伝送するいわゆるマルチプログラム対応機能を備えている。
【００２９】
ＭＰＥＧ２−ＴＳは、１８８バイト固定長のトランスポート・ストリーム・パケット（以下、「ＴＳパケット」という。）によって、伝送される。つまり、デジタル放送サービスにおけるプログラムは、映像音声データのＰＥＳ（Packetized Elementary Stream）として規定される。また、このＰＥＳを管理するための情報としてＰＳＩ（Program Specific Information）が規定される。代表的なＰＳＩとしては、ＰＡＴ（Program Association Table）、ＰＭＴ（Program Map Table）、ＮＩＴ（Network Information Table）およびＣＡＴ（Conditional Access Table）等がある。これらの各ＰＳＩは、セクション形式で伝送される。
【００３０】
本発明における制御情報（詳細については後述する。）は、ストリームの一部として構成され、映像音声データと同様に、ＴＳパケットとして伝送される。この場合、制御情報は、ＰＥＳ形式またはセクション形式で規定され、伝送される。
［第１の実施形態］
図１は、第１の実施形態に係る放送システムの全体構成を示す図である。同図に示すように、本放送システムは、各種番組を制作し、これをストリームとして各視聴者に配信する放送局１１０と、放送局１１０から配信（伝送）されるストリームを受信し、これを映像や音声として出力する端末１２０とから構成される。
【００３１】
放送局１１０は、視聴者の端末１２０においてストリームを制御するための制御情報を記憶する制御情報記憶部１１１、本編の番組自体を構成するコンテンツやデータ放送のためのコンテンツ等を記憶した番組情報蓄積部１１２、制御情報と番組情報を含むストリームを生成するストリーム生成部１１３および生成されたストリームを、例えば、放送衛星に向けて発信する送信部１１４を備える。
【００３２】
また、端末１２０は、放送衛星等からの放送電波（ストリーム）を受信する受信部１２１、視聴者の個人的なデータを含む端末データを入力する入力部１２２、入力部１２２から入力された端末データを記憶する端末データ記憶部１２３、視聴者に最終的に番組が提供されるようにストリームを管理するストリーム管理部１２４、受信したストリームを一時的に蓄積するストリーム蓄積部１２５およびストリーム管理部１２４から送出されるストリームに基づいて出力装置１２６ａ，１２６ｂを制御する出力制御部１２７を備える。ここで、出力制御部１２７は、図示しない分離部（ＤＥＭＵＸ；Demultiplexer）によってストリームを映像信号および音声信号に分離し、図示しない各々のデコーダを介して出力装置１２７ａ，１２７ｂ送出する。また、出力装置１２７ａ，１２７ｂは、映像信号に基づく表示を行うディスプレイや音声信号に基づく出力を行うスピーカ等である。
【００３３】
なお、本実施形態において、放送局１１０から端末１２０に対するストリームは、放送衛星によって配信されることとしたが、これに限られるものではない。例えば、通信衛星による配信であってもよい。また、衛星放送でなく、地上波放送やいわゆるケーブルテレビジョン放送（ＣＡＴＶ）やインターネット、ＷＡＮ（Wide Area Network）であってもよい。要は、所定のストリームが視聴者の端末１２０に伝送される形態であればよい。
【００３４】
図２は、放送局１１０におけるストリームの生成を説明するための図である。図１に示した制御情報記憶部１１１は放送管理データ記憶部１１１ａおよび運行管理データ記憶部１１１ｂを有する。放送管理データ記憶部１１１ａは、伝送するストリームに含まれる全ての制御情報を含む放送管理データを記憶する。また、運行管理データ記憶部１１１ｂは、番組を実際に放送するために必要な情報、つまり、番組の放送開始時刻、放送時間等に関する情報を運行管理データとして記憶する。運行管理データは、図示しない変換手段により放送管理データから変換して作成される。番組情報記憶部１１２は、放送される番組を構成する本編コンテンツ１１２ａ、当該番組の一部または全部を差し替え等するための蓄積コンテンツ１１２ｂおよびデータ放送のためのデータ放送コンテンツを含む。これらのコンテンツは、通常は、デジタルデータとして番組情報記憶部１１２に保持される。
【００３５】
制御情報付与部２１ａは、制御情報付き本編コンテンツを生成し、これをＭＰＥＧストリーム生成部２２に送出する。すなわち、制御情報付与部２１ａは、本編コンテンツを番組情報記憶部１２５から読み出して、放送管理データに示される本編コンテンツの各パートに対して制御情報を付与する。各パートとは、例えば、番組中の特定の時間帯、ＣＭ部分等である。各パートは、後述する部分ストリームに対応する。同様に、制御情報付与部２１ｂは制御情報付き蓄積コンテンツを、また、制御情報付与部２１ｃは制御情報付きデータ放送コンテンツを生成し、各々ＭＰＥＧストリーム生成部２２に送出する。
【００３６】
ＭＰＥＧストリーム生成部２２は、運行管理データに基づいて各制御情報付きコンテンツからＭＰＥＧ２により圧縮された各ＭＰＥＧストリーム（ＭＳ，ＳＳ，ＤＢＳ）を生成する。また、ＭＰＥＧストリーム生成部２２は、図示しない入力手段により与えられた番組配列情報に対応するＭＰＥＧストリーム（ＥＰＧ）を生成する。各ＭＰＥＧストリームは、ＭＰＥＧ多重化部２３によって時分割多重化され、ストリームとして送信部１１４に送出される。
【００３７】
図３は、ストリームの一例を示す図である。同図は、各種の個別ストリームが時分割多重化されて全体として１つのストリームで伝送される状態を示すものである。
【００３８】
すなわち、同図において、本編ストリームＭＳは、各放送番組に対応する映像音声データ等であり、放送番組Ａおよび放送番組Ｂが伝送されている。各放送番組の間には、ＳＢ（Station Break）と呼ばれる切り替え時間確保のための時間がある。通常、ＳＢにはＣＭが放送される。蓄積ストリームＳＳは、本編ストリームＭＳの少なくとも一部に代えてまたはその一部とともに放送される映像音声データ等である。蓄積ストリームＳＳは、例えば、特定の地域に対する番組やＣＭ等の内容を伝送する。
【００３９】
番組配列情報ＳＩは、放送予定の番組名や放送日時等の番組に関する情報である。また、データ放送ストリームＤＢＳは、放送番組に連動してまたは独立に視聴者に対してデータ形式で提供される番組であり、例えば、視聴者にインターネットのＷｅｂページのような形態として提供される。
【００４０】
本編ストリームＭＳは、少なくとも１つの部分ストリームから構成される。具体的には、放送番組Ａは部分ストリームＡ１〜Ａ３として、放送番組Ｂは部分ストリームＢ１，…として構成される。また、蓄積ストリームＳＳは、蓄積ストリームＡ２１〜Ａ２３，Ｓ２１〜Ｓ２３およびＳＢ２１〜ＳＢ２３，…から構成されている。蓄積ストリームＡ２１〜Ａ２３は、本編ストリームＭＳの部分ストリームＡ２に対応し、以下同様に、蓄積ストリームＳ２１〜Ｓ２３は部分ストリームＳに、蓄積ストリームＢ２１〜Ｓ２３は部分ストリームＢ２にそれぞれ対応する。蓄積ストリームＳＳの各々は、所定の条件に従い、対応する本編ストリームＭＳの部分ストリームと差し替えられる。これらのストリームの対応関係は、後述する制御情報において指定される。
【００４１】
また、本編ストリームＭＳの部分ストリームは放送用制御情報ＢＣを、蓄積ストリームＳＳの各々は蓄積用制御情報ＳＣをそれぞれ有する。放送用および蓄積用の各制御情報ＢＣ，ＳＣは、視聴者の端末１２０においてその端末の動作処理を制御するための情報である。
【００４２】
本実施形態において、本編ストリームＭＳの映像音声データはＰＥＳとして規定される。また、蓄積ストリームＳＳの映像音声データはプライベートＰＥＳとして規定され、または、事前に視聴者が見てもかまわない映像音声データの場合にはＰＥＳとして規定される。さらに、蓄積ストリームＭＳをデータ放送形式で伝送するように規定してもよく、この場合は、ＤＳＭ−ＣＣ（Data Storage Media-Command & Control）セクションに規定される。
【００４３】
また、ストリームの一部を構成する各制御情報ＢＣ，ＳＣはプライベートセクションとして規定され、または、ＰＥＳ中のアダプテーションフィールドに規定され、あるいはＰＳＩ中のリザーブ領域に規定される。さらに、これらの各蓄積制御情報ＢＣ，ＳＣは、録画予約のために使用する番組配列情報ＳＩ内に規定されてもよい。また、放送用制御情報ＢＣには、リンク記述子が用いられても良い。さらにまた、放送用制御情報ＢＣは、データ放送ストリームで伝送されても良い。
【００４４】
図４は、制御情報の一例を示し、具体的には、同図（ａ）は放送用制御情報の一例を示し、同図（ｂ）は蓄積用制御情報の一例を示す。
【００４５】
同図（ａ）に示すように、放送用制御情報は以下の各領域を有している。すなわち、「開始」は、部分ストリームの先頭であることを示す情報であり、当該部分ストリームに対応する番組内容の放送開始のタイミングを指定するものである。「素材分類」は部分ストリームの素材を識別するための情報であり、例えば、「テロップ」、「ＣＭ」、「番組」または「データ放送」を識別するための情報が与えられる。「番号」は、素材分類で識別された各素材の識別番号である。
【００４６】
「必須」は、後述する端末データとは無関係に端末１２０に強制的に処理を行わせるための情報である。「処理」は、部分ストリームに対応する蓄積ストリームを差し替えるかまたは多重表示するかを指定するための情報である。なお、「差替」の場合は同種類の素材同士の差し替えであるが、「多重表示」の場合は同種または異種の素材間の多重表示がなされる。例えば、ＣＭの「多重表示」の場合、２つのＣＭが同時に画面に表示されるようにしてもよいし、番組とＣＭとが同時に画面に表示されるようにしてもよい。また、音声信号（音声ストリーム）については、本編ストリームの音声レベルを下げて、指定された素材の音声信号を出力するようにしてもよい。
【００４７】
「時間」は、ストリームに対応する部分ストリームの放送時刻を指定するための情報である。ここで、「即時」とは、当該部分ストリームをリアルタイムに表示するための指定であり、リアルタイムに表示させない場合には表示時刻を指定する。また、「復帰」とは、部分ストリームに対応する番組内容が終了していない場合であっても、本編ストリームに復帰しなければならない時刻の指定である。「復帰」には、本編ストリームが伝送されてきたときに強制的に復帰する「リアルタイム」もある。指定される時刻は、視聴者の端末１２０が保持する時刻を基準とする。視聴者の端末１２０が保持する時刻は、放送局から伝送されるタイムスタンプに同期する。
【００４８】
「終了」は、部分ストリームが終了することを示す情報である。「終了」の場合は、単独で用いられる。
【００４９】
一方、蓄積用制御情報は、同図（ｂ）に示すように、以下の各領域を有している。すなわち、「素材分類」は蓄積ストリームの素材を識別するための情報であり、例えば、「テロップ」、「ＣＭ」、「番組」または「データ放送」を識別する情報が与えられる。「番号」は、素材分類で識別された各素材の識別番号である。
【００５０】
「差替対象素材」とは、当該蓄積ストリームがどの素材（番号）に対応するかを指定するための情報である。「差替対象素材」はテロップ同士のように同種類の素材同士に限られず、他の素材を指定してもよい。「ストリーム長」は、当該ストリームの長さが与えられる。「個人」は、「地域」、「性別」、「年齢」および「天候」が含まれる。「地域」は当該蓄積ストリームがどの放送地域を対象としているかについての情報である。例えば、７桁郵便番号や電話番号のエリアコード（市外局番）といった情報でもよいし、特定の地域ごとに新たなコードを付与するようにしてもよい。「性別」は男性向け内容、女性向け内容というような属性を示す情報である。「年齢」は幼児向け内容、成人向け内容というような属性を示す情報である。また、「天候」とは、天候に関連する番組内容であることを示す情報であり、例えば、雨の日向けのＣＭ等であることを指定する。
【００５１】
「必須」は、上述の放送用制御情報と同様である。「処理」は、視聴者の端末１２０が行う処理を指定する情報である。具体的は、出力形態（表示方法）等を指定する。
【００５２】
「有効期間」は、当該制御情報に対応する蓄積ストリームの有効期間に関する情報である。つまり、蓄積されている蓄積ストリームが有効期限切れの場合には再利用しないようにするための情報である。「利用後処理」は、当該蓄積ストリームを利用した後の処理に関するものであり、例えば、永久保存を指定したり、破棄（消去）を指定する。なお、「有効期間」と組み合わせて、有効期間が過ぎた蓄積ストリームは破棄するというような処理の指定でもよい。
【００５３】
なお、放送用制御情報ＢＣが蓄積用制御情報ＳＣで与えられる領域の全てを有するように構成してもよい。
【００５４】
このような制御情報は、一般には、放送事業者側（放送局）で与えられ、ストリームに組み込まれた形で視聴者の端末１２０に配信される。そして、端末１２０は、各領域に指定された内容に応じて放送制御のための処理を行う。
【００５５】
本実施形態の特徴の１つとするところは、多重化されて伝送されるストリームに対し、端末データに基づいて視聴者端末１２０において情報フィルタリングを行うとともに、すでに伝送され蓄積されたストリームを用いて視聴者端末１２０において最終的なストリームを再構成する点である。
【００５６】
本実施形態の視聴者端末１２０におけるストリームの制御をより明確にするため、図５を用いて説明する。すなわち、図５は、本実施形態における視聴者端末１２０のストリームの制御を説明するための概念図である。
【００５７】
まず、時分割多重化されて伝送されるストリームは、各ストリーム（ＴＳ）ごとに分離（ＤＥＭＵＸ）される。各ストリームは、部分ストリームの集合として構成される。本編ストリームの部分ストリームは、通常は、映像音声出力のため送出されるが、蓄積ストリームの部分ストリームは、その制御情報および個人データに従って蓄積または抽出される。抽出された部分ストリームは、本編ストリームの部分ストリームを差し替える形で送出される。不要となる本編ストリームの部分ストリームは無視（破棄）される。送出された部分ストリームは、映像音声出力のためのストリームに再構成され、出力装置１２６ａ、１２６ｂを介して、放送番組として視聴者に提供される。
【００５８】
図６は、ストリーム管理部１２４の構成を示すブロックダイアグラムである。同図において、ストリーム分離部６１は、受信部１２１により受信した時分割多重化されたＴＳパケットを各ストリームごとに分離して、ストリーム制御部６２に送出する。ストリーム制御部６２は、各ストリームを構成するＴＳパケットの中から制御情報を抽出し、各ストリームごとに、その制御情報に従った処理を行う。すなわち、蓄積ストリーム場合、ストリーム制御部６２は、その制御情報および後述する端末データに基づいて、当該制御情報に関連する蓄積ストリームを構成するＴＳパケットを、ストリーム蓄積部１２５に蓄積しあるいはストリーム蓄積部１２５から抽出してプログラムストリーム構成部６３（以下、「ＰＳ情報構成部６３」という。）に送出する。制御情報に関連する蓄積ストリームを構成するＴＳパケットか否かは、ＰＳＩ（Program Specific Information）に基づいて決定される。本編ストリームの場合、ストリーム制御部６２は、その制御情報に基づいてその本編ストリームを構成するＴＳパケットまたは本編ストリームの部分ストリームに代えて抽出した蓄積ストリームを構成するＴＳパケットをＰＳ情報構成部６３に送出する。ＰＳ情報構成部６３は、ストリーム蓄積制御部６２から送出される部分ストリームを構成するＴＳパケットから放送番組として視聴者に提供すべきプログラムストリームを構成し、これを出力制御部１２７に送出する。
【００５９】
図７は、端末データを説明するための図である。端末データは、主として視聴者によって入力部１２２から入力されるが、配信されるストリームやＣＤ−ＲＯＭ等のメディアから与えるように構成してもよい。同図に示すように、端末データは、「個人」、「蓄積」および「表示」からなり、さらに階層的に構成される。「個人」は、蓄積用制御情報の「個別」領域に対応し、視聴者自身の個人的な情報が指定される。つまり、「地域」は視聴者が放送番組を視聴する場所に関する情報であり、例えば、７桁郵便番号や電話番号で指定する。また、「性別」は、例えば、「男」、「女」または「指定なし」というように指定する。「年齢」は、何歳か何歳代かというように指定する。これらの情報が蓄積制御情報と比較され、その比較結果に応じて男性向け番組や女性向け番組、さらには年齢層に応じた番組が抽出されることとなる。「天候」は、「指定する」、「指定しない」というように指定する。これらの個人に関するデータ（個人指定情報）には優先度が与えられる。
【００６０】
「蓄積」は、「端末制御」、「サーチ」および「消去」に関する情報を含む。「端末制御」は、放送局側で与えられた制御情報の「処理」に従うか否か、従う場合にはどのように処理するかを制御するための指定である。「サーチ」は、ストリーム中に出現する特定の映像音声データパターン（以下、「特定のパターン」という。）に対する検索（サーチ）を指定するための情報である。この特定のパターンは、映像パターン、音声パターンのいずれかまたは双方が指定される。「消去」は、ストリームの消去を指定する。これは、ストリーム蓄積記憶部１２５の記憶容量が有限であるため、すでに蓄積されたストリームであっても視聴者自らが消去を指定することにより、あふれを防止するためのものである。
【００６１】
「表示」は、出力装置１２６に対するストリームの出力形態を指定すための情報である。出力形態には、例えば、「差替」または「２画面」表示の指定、差し替える場合の「サイズ」、「位置」等の指定がある。これらの指定は、視聴者が入力部１２２を用いて入力したり、記録媒体として読み込まれ、端末データ記憶部１２３に記憶・保持される。
【００６２】
次に、ストリーム蓄積制御部６２の動作を図８及び図９に基づいて説明する。ストリーム蓄積制御部６２は、ストリーム分離部６１から送出されるストリームが本編ストリームであるか蓄積ストリームであるかにより処理が異なるため、以下ではそれぞれ２つに分けて説明する。すなわち、図８は蓄積ストリームに対するストリーム蓄積制御部６２の動作を説明するための図、図９は本編ストリームに対するストリーム蓄積制御部６２の動作を説明するための図である。
【００６３】
図８において、まず、ストリーム蓄積制御部６２は、当該パケットが蓄積用の制御情報であるか否かを判断する（ＳＴＥＰ８１）。ＳＴＥＰ８１において制御情報であると判断される場合には、端末データを参照し、「端末制御」領域にストリーム・フィルタリング制御の指定があるか否かを判断する（ＳＴＥＰ８２）。ＳＴＥＰ８２においてフィルタリング指定であると判断される場合には、端末データ記憶部１２３に記憶されている端末データの「個人」領域を参照し（ＳＴＥＰ８３）、端末データの「個人」領域と制御情報の「個人」領域の内容が一致するか否かを判断する（ＳＴＥＰ８４）。ＳＴＥＰ８４において一致すると判断される場合には、当該制御情報に関連する部分ストリームをストリーム蓄積部１２５に出力する（ＳＴＥＰ８５）。例えば、制御情報の「個人」領域が「東京都」を指定しており、端末データの「個人」領域もまた「東京都」を指定している場合には、当該制御情報に関連づけられた蓄積ストリームは、蓄積されることとなる。なお、端末データの「個人」領域に優先度が与えられている場合には、その優先度に従って、蓄積するか否かが判断されることになる。
【００６４】
一方、ＳＴＥＰ８５において一致しないと判断される場合には、当該制御情報に関連する部分ストリームを無視（破棄）する（ＳＴＥＰ８６）。これにより、視聴者にとって必要とされる蓄積ストリームが端末データの個人情報に基づいてストリーム蓄積部１２５に蓄積されることになる。
【００６５】
次に、本編ストリームの場合のストリーム蓄積制御部６２の動作処理を説明する。図９において、まず、ストリーム蓄積制御部６２は、当該パケットが放送用の制御情報であるか否かを判断する（ＳＴＥＰ９１）。ＳＴＥＰ９１において制御情報であると判断される場合には、さらに制御情報の中の「処理」領域を参照し、当該領域が差替指定であるか否かを判断する（ＳＴＥＰ９２）。ＳＴＥＰ９２において差替指定でないと判断される場合には、次に多重表示指定であるか否かを判断する（ＳＴＥＰ９３）。ＳＴＥＰ９３において多重表示指定であると判断される場合には、予め設定されている表示用のパラメータをセットする。表示用のパラメータは、通常、端末データ記憶部１２３に記憶されている表示指定を優先的に適用し、指定がない場合には本編ストリーム属する表示指定、ストリーム蓄積部１２５内に蓄積されている部分ストリームに属する表示指定の順で検索し、セットされる。
【００６６】
表示用のパラメータをセットした後、またはＳＴＥＰ９２において差替指定であると判断される場合には、ストリーム蓄積制御部６２は、「必須」領域を参照し、必須指定であるか否かを判断する（ＳＴＥＰ９５）。ＳＴＥＰ９５において必須指定でないと判断される場合には、ストリーム蓄積制御部６２は、端末データ記憶部１２３を参照し、端末データに表示指定が与えられているか否かを判断する（ＳＴＥＰ９６）。つまり、必須指定でないという場合は、視聴者に表示すべき蓄積ストリームの選択と、該蓄積ストリームの出力形態の指定の権限が与えられる。ＳＴＥＰ９５において必須指定であると判断される場合またはＳＴＥＰ９６において端末データに指定があると判断される場合、ストリーム蓄積部１２５を参照し、当該制御情報に対応する本編ストリームの部分ストリームに対して差し替えのための部分ストリームが蓄積されているか否かを判断する（ＳＴＥＰ９７）。ＳＴＥＰ９７において蓄積されていると判断される場合には、当該差替のための部分ストリームをストリーム蓄積部１２５から抽出する（ＳＴＥＰ９８）。
【００６７】
このように、ストリーム蓄積制御部６２は、本編ストリームの制御情報に基づいて放送対象となる部分ストリームを特定し、表示制御用のパラメータを決定する。
【００６８】
以上のように、本実施形態によれば、視聴者にとって必要とされるストリームのみが蓄積される。これにより、視聴者に真に必要とされる情報のみを漏らすことなく提供することができるようになる。この場合に、視聴者にとって必要とされないストリームは蓄積または表示されないので、端末側のメモリを効率よく使用することができるようになる。
【００６９】
また、蓄積すべきストリームは本編ストリームの対応部分よりも先に伝送され蓄積されるので、随時必要なタイミングで抽出し、視聴者に提供することができるようになる。
【００７０】
さらに、制御情報の中に、例えば、地域指定等のような視聴者の個人情報を含めているので、視聴者の嗜好にあったストリームの蓄積および表示が可能となる。
【００７１】
一方、衛星放送のような広域放送メディアを使用する場合であっても、全国向け番組と地域向け番組とを同じ伝送路で送出することができるようになる。
【００７２】
また、制御情報によって永久的に保存する蓄積ストリームを指定すれば、例えば、繰り返し伝送すべきストリームであっても、すでに蓄積されたストリームを再利用することができるようになる。このことは、本来伝送すべき情報量を減らすことができ、放送帯域を有効に利用することができるようになる。
【００７３】
上記実施形態では、処理動作の流れをシーケンシャルに説明したが、特にこれにこだわるものではない。従って、処理動作に矛盾が生じない限り、処理の手順を入れ替え、または並列的に処理するようにしてもよい。
【００７４】
また、上記実施形態では、ＭＰＥＧ２準拠を前提に説明したが、ＭＰＥＧ４準拠であってもよい。
［第２の実施形態］
本実施形態は、特定のパターンが蓄積ストリーム中に出現した場合に、当該蓄積ストリームの蓄積制御を行う点を特徴とする。
【００７５】
図１０は、蓄積ストリームに対するストリーム蓄積制御部６２の動作を説明するための図である。同図において、ＳＴＥＰ１０１からＳＴＥＰ１０６までの処理は、上述の第１の実施形態における図８の処理と同じである。
【００７６】
まず、ストリーム蓄積制御部６２は、当該パケットが蓄積用の制御情報であるか否かを判断し（ＳＴＥＰ８１）、制御情報でないと判断される場合には、端末データの「サーチ指定」を参照し、特定パターンのサーチ指定があるか否かを判断する（ＳＴＥＰ８６）。これは、制御情報の中に蓄積等の指示に関する情報を含めるのではなく、映像音声データ放送に関する情報の中の特定パターンに蓄積等の指示に関する情報を対応付けておくものである。ＳＴＥＰ８６において特定パターンの指定があると判断される場合には、当該制御情報に関連するストリームの中から特定パターンを抽出する（ＳＴＥＰ８７）。次に、ストリーム蓄積制御部５２は、抽出された特定パターンが端末データの特定パターンによって蓄積指定されているか否かを判断する（ＳＴＥＰ８８）。ＳＴＥＰ８８において蓄積指定されていると判断される場合には、蓄積用制御情報ＳＣを端末データ記憶部１２３に基づいて生成し、当該蓄積ストリームに蓄積用制御情報ＳＣを付加するとともに、端末制御指定にフィルタリング指定を追加し（ＳＴＥＰ１１０）、ＳＴＥＰ１０３の処理に移行する。ＳＴＥＰ１０３以降の処理は、上述した第１の実施形態と同じであるため説明を省略する。
【００７７】
以上のように、本実施形態によれば、ストリーム中に出現した特定のパターンに基づいてストリームの蓄積制御ができるようになる。
【００７８】
なお、特定のパターンに対するサーチ指定は、放送局によって予め指定された特定のパターンに対して入力部１２２を用いて入力してもよい。また、放送されている画面に特定のパターンが出現したときに、視聴者がその特定のパターンを蓄積指定できるようにしてもよい。
［その他の実施形態］
上記各実施形態は、本発明を説明するための例示であり、本発明をこれらの実施形態にのみ限定する趣旨ではない。本発明は、その要旨を逸脱しない限り、さまざまな形態で実施することができる。
【００７９】
例えば、上記実施形態では、テレビ放送用の本編ストリームの一部を蓄積ストリームで差し替えるものとして説明したが、特にこれに限定されるものではない。従って、本発明は、データ放送においても適用することができる。すなわち、リアルタイムに伝送され表示されるデータ放送ストリーム（本編型ストリームに対応する。）と蓄積用のデータ放送ストリーム（蓄積型ストリームに対応する。）とを伝送し、これらのストリームとともに伝送される制御情報および端末データに従って、データ放送ストリームを蓄積用のデータ放送ストリームで差し替えるようにしてもよい。
【００８０】
また、複数の個別ストリームは、１つの多重ストリームとして伝送される必要はない。要するに、複数の個別ストリームが視聴者の端末に伝送されればよい。端末装置が、複数の多重ストリームを同時に受信する機能を有する場合には、異なる多重ストリーム中に、本編ストリームとこれに対応する蓄積ストリームとを含めてもよい。また、蓄積ストリームをＣＤ−ＲＯＭ、ＤＶＤ等の記録媒体によって提供するようにしてもよい。
【００８１】
さらに、制御情報には、暗号情報を含んでもよい。端末装置は、視聴者の端末データの暗号情報と送出されたストリーム中の暗号情報とを比較し、比較結果が一致する場合にのみ、蓄積、差替を行う。
【発明の効果】
本発明によれば、視聴者ごとに個別化された放送番組が構成され、よりきめの細かい個別化したデジタル放送サービスを提供することができるようになる。
【図面の簡単な説明】
【図１】本発明の実施形態に係る放送システムの全体構成を示す図
【図２】放送局におけるストリームの生成を説明するための図
【図３】ストリームを説明するための図
【図４】制御情報の一例を示す図
【図５】本発明に係るストリーム制御を説明するための概念図
【図６】ストリーム管理部の構成を示す図
【図７】端末データの一例を示す図
【図８】蓄積ストリームに対するストリーム蓄積制御部の動作を説明するための図
【図９】本編ストリームに対するストリーム蓄積制御部の動作を説明するための図
【図１０】蓄積ストリームに対するストリーム蓄積制御部の動作を説明するための図
【符号の説明】
１１０…放送局
１１１…制御情報記憶部
１１２…番組情報蓄積部
１１３…ストリーム生成部
１１４…送信部
１２０…視聴者端末
１２１…受信部
１２２…入力部
１２３…端末データ記憶部
１２４ストリーム管理部
１２５…ストリーム蓄積部
１２６…出力装置
１２７…出力制御部
【図１】
0004237361.tif 000002
【図２】
0004237361.tif 000003
【図３】
0004237361.tif 000004
【図４】
0004237361.tif 000005
【図５】
0004237361.tif 000006
【図６】
0004237361.tif 000007
【図７】
0004237361.tif 000008
【図８】
0004237361.tif 000009
【図９】
0004237361.tif 000010
【図１０】
0004237361.tif 000011